(57)【要約】 【課題】価格も手ごろであり、適度な変形を維持しつつ、後頭部や頚部がフィットし易い枕として、頭部や頚部にフィットし易い枕の提供。【解決手段】板状の上下部を円形又は楕円形として凸状とし、中央部に平らな窪みを付けた形状とした発泡ウレタンを芯材とし、その周囲をポリエステル綿で囲み、外生地の袋に入れた枕とした。頭をのせたとき、ポリエステル綿は、その荷重で収縮するが、芯である発泡ウレタンは、適度な変形を維持しつつも枕に後頭部や頚椎がフィットされる。【選択図】  図３
0003155846.tif 000002
【実用新案登録請求の範囲】
【請求項１】
板状の発泡ウレタンを芯材とし、その周囲をポリエステル綿で囲い、外生地を布地製とする枕。
【請求項２】
板状の上下部を円形又は楕円形の凸状とし、中央部に平らな窪みを付けた形状とする発泡ウレタンを芯材とする請求項１の枕。
【考案の詳細な説明】
【技術分野】
【０００１】
本考案は、適度な変形を維持しつつ、頭部から頚部にかけてフィットし易い枕に関する。
【背景技術】
【０００２】
就寝時に使用される枕は、日常の必需品であり、また嗜好品でもあるという性格を有し、多くの種類の枕が販売され、また、多くの特許出願等がされている。
これまで、布製の袋に籾殻、蕎麦殻、綿、羽毛等の自然材料を入れたものが使用されてきたが、自然材料の枯渇等により、最近では、プラスチック切片あるいはプラスチック綿を入れた枕が多く市販されている。
【０００３】
枕については、「枕博士」なる言葉も見受けられ、「背が高い方が良い。」とか、「いや、低い方が良い。」等多くの意見がある。ただ、一般的に言われることは、弾力性があり、適度な変形がされても所定の高さを維持でき、後頭部、頸椎部がフィットする枕が好ましいとされている。
【０００４】
籾殻、蕎麦殻等を入れた枕は、頭をのせたとき、その荷重を分散しやすいという長所はあるが、高さや全体の形状の変化を起こしやすく、使用しているうちに、頭部や頚部にフィットしなくなる場合もある。また、プラスチック綿等を入れた枕では、弾力性はあっても、変形が大きく、使用しているうちに所定の高さを維持できず低くなってしまう場合があり同様に頭部や頚部頭にフィットしなくなる場合もある。
【０００５】
この問題点を解消し、さらに改良を進めた先行技術として、頭部から頚部にかけて理想的な保持形態を維持するため、高密度発泡スーパーフォームを主材とし全体として枕の短手方向に逆傾斜をなした枕(特許文献１)、上向き姿勢のみならず、横向きの場合にも安眠性を維持できる枕として、硬度の高い低反発ポリウレタンフォーム製の芯材層と、この芯材層を被覆し芯材層より硬度の低いポリウレタンフォーム製の表層とが一体化され、芯材層の幅方向両端部側で高くなっていると共に、この部分を覆う表層が薄く構成されている枕(特許文献２)、頭皮の血行を阻害せず、また頭部がムレるような不具合を防止するため、ポリウレタンフォーム製の表材と中芯と裏材が積層される枕(特許文献３)、硬度が大きな芯材層、厚みのある中間層、所定の厚さの上層を積層することによって内側部材を作製し、内側部材の外周に外側部材を巻き付けて製造が容易で、安価に製造できる枕製造が容易で、安価に製造できる枕(特許文献４)等多くの出願がある。
【０００６】
上記先行技術では、主に発泡ウレタンを芯材としているが、使用材料が高価であり、さらに製造工程に多くの人手を要し、必然的に高価な枕になってしまう恐れがある。
【先行技術文献】
【特許文献】
【０００７】
【特許文献１】登録実用新案公報  第3033376号
【特許文献２】特開２００６-３１２０９４号公報
【特許文献３】特開２００４−４９８０９号公報
【特許文献４】特開平１１―５６５５８号公報
【０００８】
枕は、日常の必需品でもあるが、一方において、消耗品であるともいえ、安価であることが望まれる。そこで、適度な変形を維持しつつ、後頭部や頚部がフィットし易い枕として、頭部や頚部にフィットし易い形状の発泡ウレタンを芯材とし、その芯材の周囲をポリエステル綿で囲い布製の袋にいれた枕を考案した。
【考案の概要】
【考案が解決しようとする課題】
【０００９】
本考案の解決しようとする問題点は、安価で、頭部や頚部にフィットし易い枕を提供することである。
【課題を解決するための手段】
【００１０】
第１の考案は、板状の発泡ウレタンを芯材とし、その周囲をポリエステル綿で囲い、外生地を布地製とする枕である。
【００１１】
板状としたのは所定の厚みを持った板のような形状を表現したに過ぎず、木製の板のように硬いものではなく、弾力性のある軟質又は半硬質の発泡ウレタンを板状としたものである。ポリエステル綿を使用するのは、天然の繊維からできた綿は価格が高く、安価な合成繊維を使用して低価格とするためである。この板状の軟質または半硬質の発泡ウレタンを芯とし、その周囲をポリエステル綿で囲み、これを布地製の外生地の袋に入れた枕である。
【００１２】
発泡ウレタンには、座席用クッションやマットレスに使用される気泡が連続し復元性がある軟質発泡ウレタン、断熱材に使用される独立気泡で復元性が無い硬質発泡ウレタン及び中間的な性状で主に衝撃吸収材用に向けられる半硬質発泡ウレタンがあるが、枕の芯として使用するものは、軟質あるいは半硬質発泡ウレタンである。
【００１３】
続いて、第２の考案は、板状の上下部を円形又は楕円形の凸状とし、中央部に平らな窪みを付けた形状とする発泡ウレタンを芯材とする請求項１の枕である。
【００１４】
枕は、図１に示すように、正面から見た場合には概ね長方形となっており、仰向した人の両肩に平行な辺と、これに直角な首筋に平行な辺からなり、両肩に平行な方向を左右方向とし、これに直角な方向を上下方向とする。板状の上下部とは、首筋に直角な上下方向の上部と下部をいい、上部の凸部は頭の上部がのり、中央部の平らな窪みは、後頭部がのり、下部の凸部には頚椎部がのるようにしたものである。弾力性のある発泡ウレタンを芯材としているため、頭部の重みでポリエステル綿が収縮しても、発泡ウレタンの形状は維持できるため、頭部や頚部が枕にフィットできるものである。
【００１５】
さらに、上下それぞれの凸部は、需要者の好みに応じ、凸状の高さを変化させることもでき、さらには、円形又は楕円形であるため、表裏面の区別なく使用することもできる。
【考案の効果】
【００１６】
第１の考案では、芯材を発泡ウレタンとした簡単な構造のため、適度な変形を維持できる安価な枕を提供することができる。第２の考案では、表裏面を区別することなく頭部及び頚部を枕にフィットすることができ、安眠を誘うことができる。
【図面の簡単な説明】
【００１７】
【図１】図１は、枕とその左右及び上下方向を示した図である。
【図２】図２は、板状の発泡ウレタンを芯とした枕である。
【図３】図３は、上下部を凸状とした発泡ウレタンを芯とした枕である。
【図４】図４は、本考案の枕を使用した状態図である。
【図５】図５は、試作品の枕の断面写真である。
【考案を実施するための形態】
【００１８】
本考案の実施例を以下に示す。  
【実施例１】
【００１９】
図１は、枕１全体の写真である。図２は、板状の発泡ウレタンを芯材４とし、その周囲をポリエステル綿３で囲み、外生地２の袋に入れ枕１としたものである。図２の(１)は平面図を、(２)はＡ−Ａ´での断面図を示している。
【実施例２】
【００２０】
図３は、上下部を凸状とした発泡ウレタンを芯材５とした枕１である。図３の(３)は平面図を、(４)はＢ−Ｂ´での断面図を示している。上下部を凸状５１としたために、枕１に頭部をのせたときに、後頭部や頚部が枕にフィットし易くなり、安眠を誘うことができる。この状態を図４に示す。
【００２１】
発泡ウレタンは、「スラブ」又は「モールド」の工程により製造される。スラブでは、断面が角型等に連続発砲したウレタンを、所定の大きさに裁断して作られ、モールドでは、金型内で発泡させ所定形状にした後、金型より取り出して作られる。芯材となる発泡ウレタンンは、いずれの製造方法によるものであっても使用することができる。
【００２２】
図５は、本考案の枕を試作したときの断面写真である。この試作品では、上下部を凸状とした軟質の発泡ウレタンを芯材として使用した。なお、上下部を凸状とした発泡ウレタンの芯材はこの形状に限られるものではなく、上下部の凸状の高さを変化させることもでき、大きさも任意に決めることができる。
【産業上の利用可能性】
【００２３】
使用する材料も一般的なものであり、製造工程も手間がかからないことから、安価に提供でき、適度な変形を維持しつつ、後頭部や頚部がフィットし易い枕であるため、需要が期待される。
【符号の説明】
【００２４】
１    枕
２    外生地(袋)
３    ポリエステル綿
４    板状の発泡ウレタンの芯    
５    上下部を凸状とした発泡ウレタンの芯    ５１  上下部の凸状
【図２】
0003155846.tif 000003
【図３】
0003155846.tif 000004
【図４】
0003155846.tif 000005
【図１】
0003155846.tif 000006
【図５】
0003155846.tif 000007